(57)【要約】【課題】  疎通経路及び／又は疎通経路の変更点をリアルタイムに監視可能とすることを目的とする。【解決手段】  ネットワークに係る情報及びインターフェースのコストを含むリンク状態公告情報を収集するリンク状態公告情報収集手段２１と、リンク状態公告情報に基づいて、リンク状態データを作成するリンク状態データ作成手段２２と、リンク状態データを参照し、あて先までのコスト値が最小となるパス・ツリーを作成するパス・ツリー作成手段２４と、作成した前記パス・ツリーを保存するパス・ツリー保存手段２５と、パス・ツリーを表示するパス・ツリー表示手段２８と、基となる前記パス・ツリーと、再作成された前記パス・ツリーと、を比較し、変更点を検出するパス・ツリー変更点検出手段２９と、を有することによって上記課題を解決する。【選択図】  図５
2006140834.tif 000002
【特許請求の範囲】
【請求項１】
ネットワークに係る情報及びインターフェースのコストを含むリンク状態公告情報を収集するリンク状態公告情報収集手段と、
前記リンク状態公告情報に基づいて、リンク状態データを作成するリンク状態データ作成手段と、
前記リンク状態データを参照し、あて先までのコスト値が最小となるパス・ツリーを作成するパス・ツリー作成手段と、
作成した前記パス・ツリーを保存するパス・ツリー保存手段と、
前記パス・ツリーを表示するパス・ツリー表示手段と、
基となる前記パス・ツリーと、再作成された前記パス・ツリーと、を比較し、変更点を検出するパス・ツリー変更点検出手段と、
を有することを特徴とするネットワーク監視端末装置。
【請求項２】
自律システム間の経路情報を交換する経路情報交換手段と、
前記経路情報に基づいて、あて先までの経路を決定する経路決定手段と、
決定した前記経路を保存する経路保存手段と、
前記経路を表示する経路表示手段と、
基となる前記経路と、再決定された前記経路と、を比較し、変更点を検出する経路変更点検出手段と、
を有することを特徴とするネットワーク監視端末装置。
【請求項３】
第一のネットワーク監視端末装置と、第二のネットワーク監視端末装置と、を含むネットワーク監視システムであって、
前記第一のネットワーク監視端末装置は、
ネットワークに係る情報及びインターフェースのコストを含むリンク状態公告情報を収集するリンク状態公告情報収集手段と、
前記リンク状態公告情報に基づいて、リンク状態データを作成するリンク状態データ作成手段と、
前記リンク状態データを参照し、あて先までのコスト値が最小となるパス・ツリーを作成するパス・ツリー作成手段と、
作成した前記パス・ツリーを保存するパス・ツリー保存手段と、
前記パス・ツリーを表示するパス・ツリー表示手段と、
基となる前記パス・ツリーと、再作成された前記パス・ツリーと、を比較し、変更点を検出するパス・ツリー変更点検出手段と、
を有し、
前記第二のネットワーク監視端末装置は、
自律システム間の経路情報を交換する経路情報交換手段と、
前記経路情報に基づいて、あて先までの経路を決定する経路決定手段と、
決定した前記経路を保存する経路保存手段と、
前記経路を表示する経路表示手段と、
基となる前記経路と、再決定された前記経路と、を比較し、変更点を検出する経路変更点検出手段と、
を有することを特徴とするネットワーク監視システム。
【請求項４】
ネットワークを監視するネットワーク監視端末装置におけるネットワーク監視方法であって、
ネットワークに係る情報及びインターフェースのコストを含むリンク状態公告情報を収集するリンク状態公告情報収集段階と、
前記リンク状態公告情報に基づいて、リンク状態データを作成するリンク状態データ作成段階と、
前記リンク状態データを参照し、あて先までのコスト値が最小となるパス・ツリーを作成するパス・ツリー作成段階と、
作成した前記パス・ツリーを保存手段に保存するパス・ツリー保存段階と、
前記パス・ツリーを表示するパス・ツリー表示段階と、
基となる前記パス・ツリーと、再作成された前記パス・ツリーと、を比較し、変更点を検出するパス・ツリー変更点検出段階と、
を有することを特徴とするネットワーク監視方法。
【請求項５】
ネットワークを監視するネットワーク監視端末装置におけるネットワーク監視方法であって、
自律システム間の経路情報を交換する経路情報交換段階と、
前記経路情報に基づいて、あて先までの経路を決定する経路決定段階と、
決定した前記経路を保存手段に保存する経路保存段階と、
前記経路を表示する経路表示段階と、
基となる前記経路と、再決定された前記経路と、を比較し、変更点を検出する経路変更点検出段階と、
を有することを特徴とするネットワーク監視方法。
【発明の詳細な説明】
【技術分野】
【０００１】
本発明は、ネットワーク監視端末装置、ネットワーク監視システム及びネットワーク監視方法に関する。
【背景技術】
【０００２】
一般的なネットワークでは、ネットワークの強度及び信頼性等を高めるために、品質及び／またはコスト面を含めた最適経路以外の経路を考慮して設計されている。
【０００３】
また、一般的なネットワークの監視端末装置では、エンド・トゥ・エンドのパスが確立されているか否かを監視している。
【０００４】
図１は、従来のネットワーク監視構成を説明するための図である。図１に示される監視端末装置は、全てのネットワーク機器から、定期的に経路情報を収集し、エンド・トゥ・エンドの経路が確立されているか否かを監視している。
【０００５】
図２は、従来の監視端末装置において収集した経路情報に基づいて作成された疎通経路の一例を示す図である。なお、従来の監視端末装置は、故障情報をトリガーに、疎通経路の変更を行っている（例えば、特許文献１参照。）。
【特許文献１】特開平１１−６８７４９号公報
【発明の開示】
【発明が解決しようとする課題】
【０００６】
しかしながら、上述したように、定期的に経路情報を収集する方法だと、ネットワークに負荷を与える問題があった。
【０００７】
また、例えばネットワーク負荷等により経路情報の伝達漏れが発生した場合では、エンド・トゥ・エンドでの疎通は可能であっても、その疎通経路は、変更されてしまっている場合があり、上述したネットワークの監視方法では、ネットワーク負荷による疎通経路の変更を監視できない問題があった。
【０００８】
したがって、ネットワークの負荷が原因で最終的に疎通が不可能となった場合も、該疎通が不可能になる前に、ネットワークの負荷等を発見し、対処することができない問題もあった。
【０００９】
また、上述した監視方法だと、実際の疎通経路を適格に把握することができないため、例えば、どの通信機器をネットワークから切り離す等して、保守点検、又は更新等の処理をしてもよいのか否か等の判断もできない問題があった。
【００１０】
本発明は、上記の点に鑑みなされたもので、疎通経路及び／又は疎通経路の変更点をリアルタイムに監視可能とすることを目的とする。
【課題を解決するための手段】
【００１１】
そこで、上記課題を解決するため、本発明は、ネットワークに係る情報及びインターフェースのコストを含むリンク状態公告情報を収集するリンク状態公告情報収集手段と、前記リンク状態公告情報に基づいて、リンク状態データを作成するリンク状態データ作成手段と、前記リンク状態データを参照し、あて先までのコスト値が最小となるパス・ツリーを作成するパス・ツリー作成手段と、作成した前記パス・ツリーを保存するパス・ツリー保存手段と、前記パス・ツリーを表示するパス・ツリー表示手段と、基となる前記パス・ツリーと、再作成された前記パス・ツリーと、を比較し、変更点を検出するパス・ツリー変更点検出手段と、を有することを特徴とする。
【００１２】
本発明によれば、ネットワークに係る情報及びインターフェースのコストを含むリンク状態公告情報を収集するリンク状態公告情報収集手段と、前記リンク状態公告情報に基づいて、リンク状態データを作成するリンク状態データ作成手段と、前記リンク状態データを参照し、あて先までのコスト値が最小となるパス・ツリーを作成するパス・ツリー作成手段と、作成した前記パス・ツリーを保存するパス・ツリー保存手段と、前記パス・ツリーを表示するパス・ツリー表示手段と、基となる前記パス・ツリーと、再作成された前記パス・ツリーと、を比較し、変更点を検出するパス・ツリー変更点検出手段と、を有することにより、疎通経路及び／又は疎通経路の変更点をリアルタイムに監視可能とすることができる。
【００１３】
また、本発明は、自律システム間の経路情報を交換する経路情報交換手段と、前記経路情報に基づいて、あて先までの経路を決定する経路決定手段と、決定した前記経路を保存する経路保存手段と、前記経路を表示する経路表示手段と、基となる前記経路と、再決定された前記経路と、を比較し、変更点を検出する経路変更点検出手段と、を有することを特徴とする。
【００１４】
本発明によれば、自律システム間の経路情報を交換する経路情報交換手段と、前記経路情報に基づいて、あて先までの経路を決定する経路決定手段と、決定した前記経路を保存する経路保存手段と、前記経路を表示する経路表示手段と、基となる前記経路と、再決定された前記経路と、を比較し、変更点を検出する経路変更点検出手段と、を有することにより、疎通経路及び／又は疎通経路の変更点をリアルタイムに監視可能とすることができる。
【００１５】
また、上記課題を解決するための手段として、ネットワーク監視システム及びネットワーク監視方法としてもよい。
【００１６】
なお、リンク状態公告情報とは、例えば後述するＬＳＡに対応する。また、リンク状態データとは、例えば後述するＬＳＤＢ４０に対応する。また、自立システムとは、例えば後述するＡＳに対応する。
【発明の効果】
【００１７】
本発明によれば、疎通経路及び／又は疎通経路の変更点をリアルタイムに監視可能とすることができる。
【発明を実施するための最良の形態】
【００１８】
以下、本発明の実施の形態について図面に基づいて説明する。
【実施例１】
【００１９】
図３は、本発明に係るネットワークの監視構成を説明するための図（その１）である。なお、図３は、あるＡＳ（Ａｕｔｏｎｏｍｏｕｓ  Ｓｙｓｔｅｍ）内のネットワーク構成を表しているものとする。
【００２０】
図３に示される（）内の数値は、ＯＳＰＦ（Ｏｐｅｎ  Ｓｈｏｒｔｅｓｔ  Ｐａｔｈ  Ｆｉｒｓｔ）プロトコルで用いられるコスト（主に、インターフェースの帯域幅により決定される値）を表している。
【００２１】
以下、図３に示される監視端末装置１のハードウェア構成の一例を図４に示す。図４は、監視端末装置１の一例のハードウェア構成図である。
【００２２】
図４に示されるように、監視端末装置１は、それぞれバスで相互に接続されている入力装置１１と、表示装置１２と、ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤＤ（Ｈａｒｄ  Ｄｉｓｋ  Ｄｒｉｖｅ）１９と、を含む。
【００２３】
入力装置１１は、監視端末装置１の利用者（ネットワークの監視者）が操作するキーボード及びマウス等で構成され、監視端末装置１に各種操作信号を入力するのに用いられる。表示装置１２は、監視端末装置１の利用者が利用するディスプレイ等で構成され、各種情報を表示する。インターフェース装置１８は、監視端末装置１をネットワークに接続するインターフェースである。
【００２４】
後述する監視端末装置１の各機能に対応するプログラム（以下、単に監視プログラムという）は、例えば、ＣＤ−ＲＯＭなどの記録媒体１４によって監視端末装置１に提供されるか、ネットワークを通じてダウンロードされる。記録媒体１４は、ドライブ装置１３にセットされ、データや監視プログラムが記録媒体１４からドライブ装置１３を介してＨＤＤ１９にインストールされる。
【００２５】
ＲＯＭ１５は、データ等を格納する。ＲＡＭ１６は、例えば監視端末装置１の起動時にＨＤＤ１９から監視プログラムを読み出して格納する。ＣＰＵ１７は、ＲＡＭ１６に読み出され格納された監視プログラムに従って処理を実行する。
【００２６】
ＨＤＤ１９は、監視プログラムや、後述するＬＳＤＢ、パス・ツリー、ルーティング・テーブル等のデータ等を格納する。なお、ＬＳＤＢ、パス・ツリー、ルーティング・テーブル等のデータは、ＲＡＭ１６が、格納するようにしてもよい。
【００２７】
以下、監視端末装置１の機能構成の一例を、図５に示す。図５は、監視端末装置１の機能構成図（その１）である。
【００２８】
図５に示されるように、監視端末装置１は、ＬＳＡ収集部２１と、ＬＳＤＢ作成部２２と、ＬＳＤＢ管理部２３と、パス・ツリー作成部２４と、パス・ツリー管理部２５と、ルーティング・テーブル作成部２６と、ルーティング・テーブル管理部２７と、パス・ツリー表示部２８と、パス・ツリー変化点検出部２９と、パス・ツリー変化点表示部３０と、を含む。
【００２９】
ＬＳＡ収集部２１は、ルータ等より、該ルータに接続されたネットワークの情報や、インターフェースのコスト等の情報を含んだＬＳＡ（Ｌｉｎｋ−Ｓｔａｔｅ  Ａｄｖｅｒｔｉｓｅｍｅｎｔ）を収集（又は交換）する。
【００３０】
ＬＳＤＢ作成部２２は、ＬＳＡ収集部２１が収集したＬＳＡに基づいて、リンクステート・データベース（ＬＳＤＢ）４０を作成したり、ＬＳＤＢ管理部２３において管理されているＬＳＤＢ４０を変更したりする。なお、ＬＳＤＢ４０の一例を、後述する図６に示す。
【００３１】
ＬＳＤＢ管理部２３は、ＬＳＤＢ作成部２２が作成したＬＳＤＢ４０を、例えばＲＡＭ１６又はＨＤＤ１９等に保存し、管理する。
【００３２】
パス・ツリー作成部２４は、ＬＳＤＢ作成部２２が作成又は変更したＬＳＤＢ４０に基づいて、最短パス・ツリー（以下、単にパス・ツリーという）を作成又は再作成する。
【００３３】
パス・ツリー管理部２５は、パス・ツリー作成部２４が最初に作成したパス・ツリーを、例えば基となるパス・ツリーとしてＲＡＭ１６又はＨＤＤ１９等において保存し、管理すると共に、パス・ツリー作成部２４が再作成したパス・ツリーを例えば作成した順番に番号等を付けてＲＡＭ１６又はＨＤＤ１９等において保存し、管理する。
【００３４】
ルーティング・テーブル作成部２６は、パス・ツリー作成部２４が作成又は再作成したパス・ツリーを参照し、ルーティング・テーブルを作成又は再作成する。
【００３５】
ルーティング・テーブル管理部２７は、ルーティング・テーブル作成部２６が作成又は再作成したルーティング・テーブルをＲＡＭ１６又はＨＤＤ１９等において保持し、管理する。
【００３６】
パス・ツリー表示部２８は、ルーティング・テーブル管理部２７において保持、管理されているルーティング・テーブルをディスプレイ等に表示する。
【００３７】
パス・ツリー変化点検出部２９は、例えば要求に応じて、パス・ツリー管理部２５において管理されている異なるパス・ツリーを比較して変化（変更）点を検出する。パス・ツリー変化点検出部２９は、例えば最初に作成された基となるパス・ツリー（ｎ＝０番目のパス・ツリー）と、次に再作成されたパス・ツリー（ｎ＝１番目のパス・ツリー）と、を比較して変化点を検出したり、最初に作成された基となるパス・ツリー（ｎ＝０番目のパス・ツリー）と、ｎ＝２番目のパス・ツリーと、を比較して変化点を検出したりする。なお、本発明の実施では、パス・ツリー変化点検出部２９は、パス・ツリー管理部２５において管理されている異なるパス・ツリーを比較するものとして説明を行うが、例えば、ＬＳＤＢ管理部２３において管理されている異なるＬＳＤＢ４０を比較して、パス・ツリーの変換点を検出するようにしてもよい。
【００３８】
パス・ツリー変化点表示部３０は、パス・ツリー変化点検出２９が検出したパス・ツリーの変化点をディスプレイ等に表示する。
【００３９】
以下、ＬＳＤＢ４０の一例を、図６に示す。図６は、ＬＳＤＢ４０の一例を示す図である。図６に示されるように、例えば、監視端末装置１は、ＬＳＤＢ４０を参照することにより、ＦＲＯＭ（どこから）、ＴＯ（どこに）、コスト値がいくつで接続されるのかを知ることができる。
【００４０】
例えば、監視端末装置１は、ＦＲＯＭ：ルータ１は、ＴＯ：ネットワークＡに、コスト値１０で接続されている、ＦＲＯＭ：ルータ１は、ＴＯ：ネットワークＢに、コスト値１０で接続している、ネットワークＢは、ルータ１、ルータ２、ルータ３に接続されている、等を、図６に示されるＬＳＤＢ４０を参照することにより、知ることができる。
【００４１】
以下、図６に示されるようなＬＳＤＢ４０に基づき作成されたパス・ツリーの一例を、図７に示す。図７は、パス・ツリーの一例を示す図である。
【００４２】
図７に示されるパス・ツリーは、監視端末装置１で作成されるパス・ツリーの一例である。監視端末装置１が、図７に示されるようなパス・ツリーを表示することによって、ネットワークの監視者は、あて先ネットワークまでの疎通経路を認識することができる。
【００４３】
以下、図３に示したようなネットワーク構成において、障害が発生した一例を、図８に示す。図８は、図３に示したようなネットワーク構成において、障害が発生した一例を示す図である。
【００４４】
図８に示されるように、ルータは、ＬＳＡの更新があった場合、更新情報（又は差分情報）を、ＬＳＡとして、他のルータや、監視端末装置１等にアナウンスする。
【００４５】
以下、該アナウンスされたＬＳＡを収集した監視端末装置１が、該ＬＳＡに基づいて、更新したＬＳＤＢ４０の一例を、図９に示す。図９は、更新されたＬＳＤＢ４０の一例を示す図である。
【００４６】
図８に示されるような障害が発生すると、図９に示されるように、監視端末装置１は、アナウンスされたＬＳＡに基づいて、ＬＳＤＢ４０を更新する。
【００４７】
以下、更新したＬＳＤＢ４０に基づいて、再作成されたパス・ツリーの一例を、図１０に示す。図１０は、再作成されたパス・ツリーの一例を示す図である。
【００４８】
図１０に示されるように、監視端末装置１が、再作成したパス・ツリーを表示することによって、ネットワークの監視者は、例えば障害等が発生し、変更した、あて先ネットワークまでの新たな疎通経路を認識することができる。
【００４９】
以下、変化点が表示されたパス・ツリーの一例を、図１１に示す。図１１は、変化点が表示されたパス・ツリーの一例を示す図である。
【００５０】
図１１に示されるように、監視端末装置１が、例えば要求に応じて、異なるパス・ツリー等を比較して検出した変化点を、又は、変化点を強調したパス・ツリーを、表示することによって、ネットワークの監視者は、例えば疎通経路の何処がどの様に変更されたかを認識することができる。
【００５１】
以下、監視端末装置１における監視処理の一例を図１２に示す。図１２は、監視端末装置１における監視処理のフローチャート（その１）である。
【００５２】
ステップＳ１０において、監視端末装置１は、例えばルータ等よりＬＳＡを収集する。ステップＳ１０に続いてステップＳ１１に進み、監視端末装置１は、ステップＳ１０において収集したＬＳＡに基づいて、ＬＳＤＢ４０を作成する。ステップＳ１１に続いてステップＳ１２に進み、監視端末装置１は、ステップＳ１１において作成したＬＳＤＢ４０を、ＲＡＭ１６又はＨＤＤ１９等に保存し、管理する。
【００５３】
ステップＳ１２に続いてステップＳ１３に進み、監視端末装置１は、例えばステップＳ１１において作成したＬＳＤＢ４０に基づいて、パス・ツリーを作成する。ステップＳ１３に続いてステップＳ１４に進み、監視端末装置１は、ステップＳ１３において作成したパス・ツリーを、例えばＲＡＭ１６又はＨＤＤ１９等に保存し、管理する。
【００５４】
ステップＳ１４に続いてステップＳ１５に進み、監視端末装置１は、ステップＳ１３において作成したパス・ツリーに基づいて、ルーティング・テーブルを作成する。ステップＳ１５に続いてステップＳ１６に進み、監視端末装置１は、ステップＳ１５において作成したルーティング・テーブルを、例えばＲＡＭ１６又はＨＤＤ１９等において保持し、管理する。
【００５５】
ステップＳ１６に続いてステップＳ１７に進み、監視端末装置１は、パス・ツリーを表示する。なお、パス・ツリーの表示のタイミングは、ステップＳ１７に限定されるものではなく、パス・ツリーを作成した直後等であってもよいし、ネットワークの監視者等からの要求に応じて、表示するようにしてもよい。
【００５６】
ステップＳ１７に続いてステップＳ１８に進み、監視端末装置１は、例えばルータ等よりＬＳＡ（変化分）を受信したか否かを判定する。監視端末装置１は、例えばルータ等よりＬＳＡ（変化分）を受信したと判定すると（ステップＳ１８においてＹＥＳ）、ステップＳ１９に進み、例えばルータ等よりＬＳＡ（変化分）を受信していないと判定すると（ステップＳ１８においてＮＯ）、ステップＳ１８の処理を繰り返す。
【００５７】
ステップＳ１９では、監視端末装置１が、受信したＬＳＡ（変化分）に基づいて、ＲＡＭ１６又はＨＤＤ１９等において保持し、管理しているＬＳＤＢ４０を更新する。ステップＳ１９に続いてステップＳ２０に進み、監視端末装置１は、ステップＳ１９において更新したＬＳＤＢ４０に基づいて、パス・ツリーを再作成する。ステップＳ２０に続いてステップＳ２１に進み、監視端末装置１は、ステップＳ２０において再作成したパス・ツリーを、例えばＲＡＭ１６又はＨＤＤ１９等に保存し、管理する。
【００５８】
ステップＳ２１に続いてステップＳ２２に進み、監視端末装置１は、ステップＳ２０において再作成したパス・ツリーに基づいて、ＲＡＭ１６又はＨＤＤ１９等において保持し、管理しているルーティング・テーブルを更新する。
【００５９】
ステップＳ２２に続いてステップＳ２３に進み、監視端末装置１は、再作成したパス・ツリーを表示する。なお、再作成したパス・ツリーの表示のタイミングは、ステップＳ２３に限定されるものではなく、パス・ツリーを再作成した直後等であってもよいし、ネットワークの監視者等からの要求に応じて、表示するようにしてもよい。
【００６０】
ステップＳ２３に続いてステップＳ２４に進み、監視端末装置１は、例えばネットワークの監視者等からの要求に応じて、ＲＡＭ１６又はＨＤＤ１９等において保持し、管理されている異なるパス・ツリーを比較して変化点を検出する。ステップＳ２４に続いてステップＳ２５に進み、監視端末装置１は、変化点を検出したか否かを判定する。監視端末装置１は、変化点を検出したと判定すると（ステップＳ２５においてＹＥＳ）、ステップＳ２６に進み、変化点を検出しなかったと判定すると（ステップＳ２５においてＮＯ）、ステップＳ１８からの処理を繰り返す。
【００６１】
ステップＳ２６では、監視端末装置１が、ステップＳ２４において検出した変化点を、又は、ステップＳ２４において検出した変化点を強調したパス・ツリーを、例えばネットワークの監視者等の要求に応じて、表示し、ステップＳ１８からの処理を繰り返す。
【００６２】
図１２に示すような処理を行うことによって、監視端末装置１が、例えばネットワークの監視者等からの要求に応じて、最初に作成された基となるパス・ツリー（ｎ＝０番目のパス・ツリー）と、次に再作成されたパス・ツリー（ｎ＝１番目のパス・ツリー）と、を比較して変化点を検出し、表示すると、例えばパス・ツリーの変更が、ネットワークの障害等の原因で起こったのであれば、該障害がどこで発生したか、ネットワークの監視者等は、直ぐに認識することができる。
【００６３】
また、図１２に示すような処理を行うことによって、例えば障害の復旧後、監視端末装置１が、例えばネットワークの監視者等からの要求に応じて、ｎ＝０番目のパス・ツリーと、ｎ＝２番目のパス・ツリーと、を比較して変化点を検出し、表示すると、ネットワークの監視者等は、パス・ツリー（又は疎通経路）が、障害発生前に戻ったか否か直ぐに確認することができる。
【００６４】
上述したように監視端末装置１は、例えば、ＡＳ内の疎通経路及び／又は疎通経路の変更点をリアルタイムに監視し、表示することができる。
【００６５】
以下、本発明に係るネットワーク監視構成の他の例を、図１３に示す。図１３は、本発明に係るネットワークの監視構成を説明するための図（その２）である。
【００６６】
図１３では、ＡＳ間のネットワークの監視構成を示している。なお、図１３に示される監視端末装置２は、上述した監視端末装置１と同様のハードウェア構成をしているものとして説明を行う。監視端末装置２の各機能に対応するプログラムは、例えば、ＣＤ−ＲＯＭなどの記録媒体によって監視端末装置２に提供されるか、ネットワークを通じてダウンロードされ、監視端末装置２のＨＤＤ等に格納される。監視端末装置２のＣＰＵは、監視端末装置２のＲＡＭ等が監視端末装置２のＨＤＤ等より読み取った該プログラムに従って、処理を実行する。なお、監視端末装置２のＲＡＭ又はＨＤＤは、パスルート、ルーティング・テーブル８０、ＡＳパスリスト等のデータを格納する。
【００６７】
以下、監視端末装置２の機能構成の一例を、図１４に示す。図１４は、監視端末装置２の機能構成図（その１）である。
【００６８】
図１４に示されるように、監視端末装置２は、ＴＣＰセッション確立部６１と、経路情報交換部６２と、経路情報管理部６３と、ルーティング・テーブル作成部６４と、ルーティング・テーブル管理部６５と、パスルート作成部６６と、パスルート管理部６７と、パスルート表示部６８と、パスルート変化点検出部６９と、パスルート変化点表示部７０と、を含む。
【００６９】
ＴＣＰセッション確立部６１は、隣接するルータと、ＴＣＰを用いた１対１のセッションを確立する。経路情報交換部６２は、セッションを確立したルータと、ＢＧＰ（Ｂｒｏｄｅｒ  Ｇａｔｅｗａｙ  Ｐｒｏｔｏｃｏｌ）の基本情報（例えば、ＯＰＥＮメッセージ）、及び経路情報（例えば、ＵＰＤＡＴＥメッセージ）を、交換する。経路情報管理部６３は、経路情報交換部６２が交換したＢＧＰの基本情報及び経路情報を、監視端末装置２のＲＡＭ又はＨＤＤ等に保存し、管理する。なお、経路情報管理部６３は、経路情報として含まれる後述するＡＳパスリスト９０等も保存し、管理する。
【００７０】
ルーティング・テーブル作成部６４は、経路情報に基づいて、後述するようなルーティング・テーブル８０を作成、又は更新を行う。ルーティング・テーブル管理部６５は、ルーティング・テーブル作成部６４が作成又は更新したルーティング・テーブル８０を、監視端末装置２のＲＡＭ又はＨＤＤ等に保持し、管理する。
【００７１】
パスルート作成部６６は、経路情報管理部６３において保持、管理されているＡＳパスリスト及び／又はルーティング・テーブル管理部６５において保持、管理されているルーティング・テーブル８０に基づいて、最短パスルート（以下、単にパスルートという）を作成又は再作成する。
【００７２】
パスルート管理部６７は、パスルート作成部６６が作成又は再作成したパスルートを、監視端末装置２のＲＡＭ又はＨＤＤ等に保持し、管理する。パスルート表示部６８は、パスルート管理部６７において保持、管理されているパスルートをディスプレイ等に表示する。
【００７３】
パスルート変化点検出部６９は、例えば要求に応じて、パスルート管理部６７において管理されている異なるパスルートを比較して変化（変更）点を検出する。パスルート変化点検出部６９は、例えば最初に作成された基となるパスルート（ｎ＝０番目のパスルート）と、次に再作成されたパスルート（ｎ＝１番目のパスルート）と、を比較して変化点を検出したり、最初に作成された基となるパスルート（ｎ＝０番目のパスルート）と、ｎ＝２番目のパスルートと、を比較して変化点を検出したりする。
【００７４】
パスルート変化点表示部７０は、パスルート変化点検出部６９が検出したパスルートの変化点をディスプレイ等に表示する。
【００７５】
以下、ルーティング・テーブル８０の一例を、図１５に示す。図１５は、ルーティング・テーブル８０の一例を示す図である。図１５に示されるように、ルーティング・テーブル８０は、ネットワークと、ルーティング先と、ＡＳと、を項目として含む。監視端末装置２は、例えば図１５に示されるようなルーティング・テーブル８０を保持、管理する。
【００７６】
以下、ＡＳパスリスト９０の一例を、図１６に示す。図１６は、ＡＳパスリスト９０の一例を示す図である。監視端末装置２は、例えば図１６に示されるようなＡＳパスリスト９０を保持、管理する。
【００７７】
以下、図１６に示されるようなＡＳパスリスト及び／又は図１５に示されるようなルーティング・テーブル８０等に基づいて、作成されたパスルートの一例を、図１７に示す。図１７は、パスルートの一例を示す図である。
【００７８】
図１７に示されるパスルートは、監視端末装置２で作成されるパスルートの一例である。監視端末装置２が、図１７に示されるようなパスルートを表示することによって、ネットワークの監視者は、あて先ＡＳまでの疎通経路を認識することができる。
【００７９】
以下、図１３に示したようなネットワーク構成において、障害が発生した一例を、図１８に示す。図１８は、図１３に示したようなネットワーク構成において、障害が発生した一例を示す図である。
【００８０】
ルータは、障害の発生等によって、経路情報に変更があった場合、更新情報（又は差分情報）を、経路情報として、他のルータや、監視端末装置２等にアナウンスする。
【００８１】
以下、該アナウンスされた経路情報を交換した監視端末装置２が、該経路情報に基づいて、更新したルーティング・テーブル８０の一例を、図１９に示す。図１９は、更新されたルーティング・テーブル８０の一例を示す図である。
【００８２】
図１８に示されるような障害が発生すると、図１９に示されるように、監視端末装置２は、アナウンスされた経路情報に基づいて、ルーティング・テーブル８０を更新する。
【００８３】
以下、更新されたＡＳパスリスト９０の一例を、図２０に示す。図２０は、更新されたＡＳパスリストの一例を示す図である。
【００８４】
図１８に示されるような障害が発生すると、監視端末装置２は、アナウンスされた経路情報等に基づいて、保持、管理しているＡＳパスリスト９０を更新するか、又は、アナウンスされた経路情報に含まれる更新されたＡＳパスリスト９０を受け取り、保持、管理する。
【００８５】
以下、図２０に示されるような更新されたＡＳパスリスト及び／又は図１９に示されるような更新されたルーティング・テーブル８０等に基づいて、再作成されたパスルートの一例を、図２１に示す。図２１は、再作成されたパスルートの一例を示す図である。
【００８６】
図２１に示される、パスルートは、監視端末装置２で再作成されるパスルートの一例である。監視端末装置２が、図２１に示されるような再作成したパスルートを表示することによって、ネットワークの監視者は、例えば障害等が発生し、変更された、あて先ＡＳまでの新たな疎通経路を認識することができる。
【００８７】
以下、変化点が表示されたパスルートの一例を、図２２に示す。図２２は、変化点が表示されたパスルートの一例を示す図である。
【００８８】
図２２に示されるように、監視端末装置２が、例えば要求に応じて、異なるパスルート等を比較して検出した変化点を、又は、変化点を強調したパスルートを、表示することによって、ネットワークの監視者は、例えば疎通経路の何処がどの様に変更されたかを認識することができる。
【００８９】
以下、監視端末装置２における監視処理の一例を図２３に示す。図２３は、監視端末装置２における監視処理のフローチャート（その１）である。
【００９０】
ステップＳ５０において監視端末装置２は、隣接するルータと、ＴＣＰを用いた１対１のセッションを確立する。ステップＳ５０に続いてステップＳ５１に進み、監視端末装置２は、ステップＳ５０においてセッションを確立したルータと、ＢＧＰの基本情報（例えば、ＯＰＥＮメッセージ）、及び経路情報（例えば、ＵＰＤＡＴＥメッセージ）を、交換する。
【００９１】
ステップＳ５１に続いてステップＳ５２に進み、監視端末装置２は、ステップＳ５１において交換したＢＧＰの基本情報及び経路情報を、監視端末装置２のＲＡＭ又はＨＤＤ等に保存し、管理する。なお、経路情報には、例えばＡＳパスリスト９０等も含まれる。
【００９２】
ステップＳ５２に続いてステップＳ５３に進み、監視端末装置２は、ステップＳ５１において交換したＢＧＰの基本情報及び経路情報に基づいて、ルーティング・テーブル８０を作成する。ステップＳ５３に続いてステップＳ５４に進み、監視端末装置２は、ステップＳ５３において作成したルーティング・テーブル８０を、監視端末装置２のＲＡＭ又はＨＤＤ等に保存し、管理する。
【００９３】
ステップＳ５４に続いてステップＳ５５に進み、監視端末装置２は、経路情報及び／又はルーティング・テーブル８０等に基づいて、パスルートを作成する。ステップＳ５５に続いてステップＳ５６に進み、監視端末装置２は、ステップＳ５５において作成したパスルートを、監視端末装置２のＲＡＭ又はＨＤＤ等に保存し、管理する。
【００９４】
ステップＳ５６に続いてステップＳ５７に進み、監視端末装置２は、パスルートを表示する。なお、パスルートの表示のタイミングは、ステップＳ５７に限定されるものではなく、パスルートを作成した直後等であってもよいし、ネットワークの監視者等からの要求に応じて、表示するようにしてもよい。
【００９５】
ステップＳ５７に続いてステップＳ５８に進み、監視端末装置２は、例えばルータ等より経路情報（変化分）を受信したか否かを判定する。監視端末装置２は、例えばルータ等より経路情報（変化分）を受信したと判定すると（ステップＳ５８においてＹＥＳ）、ステップＳ５９に進み、例えばルータ等より経路情報（変化分）を受信していないと判定すると（ステップＳ５８においてＮＯ）、ステップＳ５８の処理を繰り返す。
【００９６】
ステップＳ５９では、監視端末装置２が、受信した経路情報（変化分）に基づいて、ＲＡＭ又はＨＤＤ等に保存し、管理している経路情報を更新する。ステップＳ５９に続いてステップＳ６０に進み、監視端末装置２は、ステップＳ５９において更新した経路情報等に基づいて、監視端末装置２のＲＡＭ又はＨＤＤ等に保存し、管理しているルーティング・テーブル８０を更新する。
【００９７】
ステップＳ６０に続いてステップＳ６１に進み、監視端末装置２は、ステップＳ５９において更新した経路情報及び／又はステップＳ６０において更新したルーティング・テーブル８０等に基づいて、パスルートを再作成する。ステップＳ６１に続いてステップＳ６２に進み、監視端末装置２は、ステップＳ６１において再作成したパスルートを、監視端末装置２のＲＡＭ又はＨＤＤ等に保存し、管理する。
【００９８】
ステップＳ６２に続いてステップＳ６３に進み、監視端末装置２は、再作成したパスルートを表示する。なお、パスルートの表示のタイミングは、ステップＳ６３に限定されるものではなく、パスルートを再作成した直後等であってもよいし、ネットワークの監視者等からの要求に応じて、表示するようにしてもよい。
【００９９】
ステップＳ６３に続いてステップＳ６４に進み、監視端末装置２は、例えばネットワークの監視者等からの要求に応じて、監視端末装置２のＲＡＭ又はＨＤＤ等において保存、管理されている異なるパスルートを比較して変化点を検出する。ステップＳ６４に続いてステップＳ６５に進み、監視端末装置２は、変化点を検出したか否かを判定する。監視端末装置２は、変化点を検出したと判定すると（ステップＳ６５においてＹＥＳ）、ステップＳ６６に進み、変化点を検出しなかったと判定すると（ステップＳ６５においてＮＯ）、ステップＳ５８からの処理を繰り返す。
【０１００】
ステップＳ６６では、監視端末装置２が、ステップＳ６４において検出した変化点を、又は、ステップＳ６４において検出した変化点を強調したパスルートを、例えばネットワークの監視者等の要求に応じて、表示し、ステップＳ５８からの処理を繰り返す。
【０１０１】
図２３に示すような処理を行うことによって、監視端末装置２が、例えばネットワークの監視者等からの要求に応じて、最初に作成された基となるパスルート（ｎ＝０番目のパスルート）と、次に再作成されたパスルート（ｎ＝１番目のパスルート）と、を比較して変化点を検出し、表示すると、例えばパスルートの変更が、ネットワークの障害等の原因で起こったのであれば、該障害がどこで発生したか、ネットワークの監視者等は、直ぐに認識することができる。
【０１０２】
また、図２３に示すような処理を行うことによって、例えば障害の復旧後、監視端末装置１が、例えばネットワークの監視者等からの要求に応じて、ｎ＝０番目のパスルートと、ｎ＝２番目のパスルートと、を比較して変化点を検出し、表示すると、ネットワークの監視者等は、パスルート（又は疎通経路）が、障害発生前に戻ったか否か直ぐに確認することができる。
【０１０３】
上述したように監視端末装置２は、例えば、ＡＳ間の疎通経路及び／又は疎通経路の変更点をリアルタイムに監視し、表示することができる。
【０１０４】
したがって、ネットワークの監視者等は、監視端末装置１及び監視端末装置２のディスプレイ等に表示されるパス・ツリー及びパスルート等を目視することにより、例えばＡＳ内及びＡＳ間の疎通経路及び／又は疎通経路の変更点をリアルタイムに監視することができる。
【実施例２】
【０１０５】
以下、監視端末装置１の他の例の機能構成を、図２４に示す。図２４は、監視端末の機能構成図（その２）である。図２４に示されるように、監視端末装置１は、ＬＳＡ収集部２１と、ＬＳＤＢ作成部２２と、ＬＳＤＢ管理部２３と、パス・ツリー作成部２４と、パス・ツリー管理部２５と、ルーティング・テーブル作成部２６と、ルーティング・テーブル管理部２７と、パス・ツリー表示部２８と、パス・ツリー変化点検出部２９と、パス・ツリー変化点表示部３０と、パスルート受信部３１と、パスルート管理部３２と、パスルート表示部３３と、パスルート変化点受信部３４と、パスルート変化点管理部３５と、パスルート変化点表示部３６と、パス・ツリー送信部３７と、パス・ツリー変化点送信部３８と、を含む。
【０１０６】
図２４に示される監視端末装置１の機能構成は、実施例１の図５と比べて、パスルート受信部３１と、パスルート管理部３２と、パスルート表示部３３と、パスルート変化点受信部３４と、パスルート変化点管理部３５と、パスルート変化点表示部３６と、パス・ツリー送信部３７と、パス・ツリー変化点送信部３８と、が更に含まれている。
【０１０７】
パスルート受信部３１は、ネットワークを介して接続された監視端末装置２より、パスルートを受信する。パスルート管理部３２は、パスルート受信部３１が受信したパスルートを、ＲＡＭ１６又はＨＤＤ１９等に保存し、管理する。パスルート表示部３３は、パスルート管理部３２において保持、管理されているパスルートをディスプレイ等に表示する。
【０１０８】
パスルート変化点受信部３４は、ネットワークを介して接続された監視端末装置２より、パスルートの変化点を受信する。パスルート変化点管理部３５は、パスルート変化点受信部３４が受信したパスルートの変化点を、例えば対応するパスルートと対応付けて、ＲＡＭ１６又はＨＤＤ１９等に保存し、管理する。パスルート変化点表示部３６は、パスルート変化点管理部３５において保持、管理されているパスルートの変化点をディスプレイ等に表示する。なお、パスルート変化点表示部３６は、パスルートの変化点と共に、対応するパスルートを、つまり、変化点を強調したパスルートを、ディスプレイ等に表示するようにしてもよい。
【０１０９】
パス・ツリー送信部３７は、例えばパス・ツリー作成部２４において作成したパス・ツリーを、ネットワークを介して接続された監視端末装置２に送信する。パス・ツリー変化点送信部３８は、例えばパス・ツリー変化点検出部２９において検出したパス・ツリーの変化点を、ネットワークを介して接続された監視端末装置２に送信する。
【０１１０】
以下、監視端末装置１における監視処理の他の例を図２５に示す。図２５は、監視端末装置１における監視処理のフローチャート（その２）である。
【０１１１】
ステップＳ７０において、監視端末装置１は、例えばルータ等よりＬＳＡを収集する。ステップＳ７０に続いてステップＳ７１に進み、監視端末装置１は、ステップＳ７０において収集したＬＳＡに基づいて、ＬＳＤＢ４０を作成する。ステップＳ７１に続いてステップＳ７２に進み、監視端末装置１は、ステップＳ７１において作成したＬＳＤＢ４０を、ＲＡＭ１６又はＨＤＤ１９等に保存し、管理する。
【０１１２】
ステップＳ７２に続いてステップＳ７３に進み、監視端末装置１は、例えばステップＳ７１において作成したＬＳＤＢ４０に基づいて、パス・ツリーを作成する。ステップＳ７３に続いてステップＳ７４に進み、監視端末装置１は、ステップＳ７３において作成したパス・ツリーを、例えばＲＡＭ１６又はＨＤＤ１９等に保存し、管理する。
【０１１３】
ステップＳ７４に続いてステップＳ７５に進み、監視端末装置１は、ステップＳ７３において作成したパス・ツリーに基づいて、ルーティング・テーブルを作成する。ステップＳ７５に続いてステップＳ７６に進み、監視端末装置１は、ステップＳ７５において作成したルーティング・テーブルを、例えばＲＡＭ１６又はＨＤＤ１９等において保持し、管理する。
【０１１４】
ステップＳ７６に続いてステップＳ７７に進み、監視端末装置１は、パス・ツリーを表示する。なお、パス・ツリーの表示のタイミングは、ステップＳ７７に限定されるものではなく、パス・ツリーを作成した直後等であってもよいし、ネットワークの監視者等からの要求に応じて、表示するようにしてもよい。
【０１１５】
ステップＳ７７に続いてステップＳ７８に進み、監視端末装置１は、ステップＳ７３において作成したパス・ツリーを、ネットワークを介して接続された監視端末装置２に送信する。なお、パス・ツリーを送信するタイミングは、ステップＳ７８に限定されるものではなく、パス・ツリーを作成した直後等であってもよい。
【０１１６】
ステップＳ７８に続いてステップＳ７９に進み、監視端末装置１は、例えばルータ等よりＬＳＡ（変化分）を受信したか否かを判定する。監視端末装置１は、例えばルータ等よりＬＳＡ（変化分）を受信したと判定すると（ステップＳ７９においてＹＥＳ）、ステップＳ８０に進み、例えばルータ等よりＬＳＡ（変化分）を受信していないと判定すると（ステップＳ７９においてＮＯ）、ステップＳ７９の処理を繰り返す。
【０１１７】
ステップＳ８０では、監視端末装置１が、受信したＬＳＡ（変化分）に基づいて、ＲＡＭ１６又はＨＤＤ１９等において保持し、管理しているＬＳＤＢ４０を更新する。ステップＳ８０に続いてステップＳ８１に進み、監視端末装置１は、ステップＳ８０において更新したＬＳＤＢ４０に基づいて、パス・ツリーを再作成する。ステップＳ８１に続いてステップＳ８２に進み、監視端末装置１は、ステップＳ８１において再作成したパス・ツリーを、例えばＲＡＭ１６又はＨＤＤ１９等に保存し、管理する。
【０１１８】
ステップＳ８２に続いてステップＳ８３に進み、監視端末装置１は、ステップＳ８１において再作成したパス・ツリーに基づいて、ＲＡＭ１６又はＨＤＤ１９等において保持し、管理しているルーティング・テーブルを更新する。
【０１１９】
ステップＳ８３に続いてステップＳ８４に進み、監視端末装置１は、再作成したパス・ツリーを表示する。なお、パス・ツリーの表示のタイミングは、ステップＳ８４に限定されるものではなく、パス・ツリーを再作成した直後等であってもよいし、ネットワークの監視者等からの要求に応じて、表示するようにしてもよい。
【０１２０】
ステップＳ８４に続いてステップＳ８５に進み、監視端末装置１は、ステップＳ８１において再作成したパス・ツリーを、ネットワークを介して接続された監視端末装置２に送信する。なお、再作成したパス・ツリーを送信するタイミングは、ステップＳ８５に限定されるものではなく、例えばパス・ツリーを再作成した直後等であってもよい。
【０１２１】
ステップＳ８５に続いてステップＳ８６に進み、監視端末装置１は、例えばネットワークの監視者等からの要求に応じて、ＲＡＭ１６又はＨＤＤ１９等において保持し、管理されている異なるパス・ツリーを比較して変化点を検出する。ステップＳ８６に続いてステップＳ８７に進み、監視端末装置１は、変化点を検出したか否かを判定する。監視端末装置１は、変化点を検出したと判定すると（ステップＳ８７においてＹＥＳ）、ステップＳ８８に進み、変化点を検出しなかったと判定すると（ステップＳ８７においてＮＯ）、ステップＳ７９からの処理を繰り返す。
【０１２２】
ステップＳ８８では、監視端末装置１が、ステップＳ８６において検出した変化点を、又は、変化点を強調したパス・ツリーを、例えばネットワークの監視者等の要求に応じて、表示する。
【０１２３】
ステップＳ８８に続いてステップＳ８９に進み、監視端末装置１は、ステップＳ８６において検出した変化点を、又は、変化点を強調したパス・ツリーを、ネットワークを介して接続された監視端末装置２に送信し、ステップＳ７９からの処理を繰り返す。なお、検出した変化点を、又は、変化点を強調したパス・ツリーを送信するタイミングは、ステップＳ８７のＹＥＳの後、ステップＳ８８の前でもよい。
【０１２４】
図２５に示すような処理を行うことによって、監視端末装置１は、例えばＡＳ内の疎通経路及び／又は疎通経路の変更点をリアルタイムに当該監視端末装置１のディスプレイに表示すると共に、例えばＡＳ内の疎通経路及び／又は疎通経路の変更点を監視端末装置２に送信することができる。
【０１２５】
以下、監視端末装置１における、例えばＡＳ間等のパスルート及びパスルート変化点の表示処理の一例を、図２６に示す。図２６は、監視端末装置１におけるパスルート及びパスルート変化点の表示処理の一例のフローチャートである。
【０１２６】
ステップＳ９０において、監視端末装置１は、ネットワークを介して接続された監視端末装置２よりパスルートを受信したか否かを判定する。監視端末装置１は、監視端末装置２よりパスルートを受信したと判定すると（ステップＳ９０においてＹＥＳ）、ステップＳ９１に進み、監視端末装置２よりパスルートを受信していないと判定すると（ステップＳ９０においてＮＯ）、ステップＳ９０からの処理を繰り返す。
【０１２７】
ステップＳ９１では、監視端末装置１が、ステップＳ９０において受信したパスルートを、ＲＡＭ１６又はＨＤＤ１９等に保存し、管理する。ステップＳ９１に続いてステップＳ９２に進み、監視端末装置１は、例えばネットワークの監視者等からの要求に応じて、パスルートを表示する。なお、監視端末装置１は、ネットワークの監視者等からの要求を待たず、ステップＳ９２のタイミングでパスルートを表示するようにしてもよい。
【０１２８】
ステップＳ９２に続いてステップＳ９３に進み、監視端末装置１は、ネットワークを介して接続された監視端末装置２よりパスルートの変化点を受信したか否かを判定する。監視端末装置１は、監視端末装置２よりパスルートの変化点を受信したと判定すると（ステップＳ９３においてＹＥＳ）、ステップＳ９４に進み、監視端末装置２よりパスルートの変化点を受信していないと判定すると（ステップＳ９３においてＮＯ）、ステップＳ９３の処理を繰り返す。
【０１２９】
ステップＳ９４では、監視端末装置１が、ステップＳ９３において受信したパスルートの変化点を、対応するパスルートと対応付けて、ＲＡＭ１６又はＨＤＤ１９等に保存し、管理する。ステップＳ９４に続いてステップＳ９５に進み、監視端末装置１は、パスルートの変化点を、又は、変化点を強調したパスルートを、ディスプレイに表示する。
【０１３０】
図２６に示すような処理を行うことによって、監視端末装置１は、例えばＡＳ内の疎通経路及び／又は疎通経路の変更点をリアルタイムに当該監視端末装置１のディスプレイに表示すると共に、例えば監視端末装置２より受信したＡＳ間の疎通経路及び／又は疎通経路の変更点を当該監視端末装置１のディスプレイに表示することができる。
【０１３１】
以下、監視端末装置２の機能構成の他の例を、図２７に示す。図２７は、監視端末装置２の機能構成図（その２）である。
【０１３２】
図２７に示されるように、監視端末装置２は、ＴＣＰセッション確立部６１と、経路情報交換部６２と、経路情報管理部６３と、ルーティング・テーブル作成部６４と、ルーティング・テーブル管理部６５と、パスルート作成部６６と、パスルート管理部６７と、パスルート表示部６８と、パスルート変化点検出部６９と、パスルート変化点表示部７０と、パス・ツリー受信部７１と、パス・ツリー管理部７２と、パス・ツリー表示部７３と、パス・ツリー変化点受信部７４と、パス・ツリー変化点管理部７５と、パス・ツリー変化点表示部７６と、パスルート送信部７７と、パスルート変化点送信部７８と、を含む。
【０１３３】
図２７に示される監視端末装置２の機能構成は、実施例１の図１４と比べて、パス・ツリー受信部７１と、パス・ツリー管理部７２と、パス・ツリー表示部７３と、パス・ツリー変化点受信部７４と、パス・ツリー変化点管理部７５と、パス・ツリー変化点表示部７６と、パスルート送信部７７と、パスルート変化点送信部７８と、が更に含まれている。
【０１３４】
パス・ツリー受信部７１は、ネットワークを介して接続された監視端末装置１より、パス・ツリーを受信する。パス・ツリー管理部７２は、パス・ツリー受信部７１が受信したパス・ツリーを、監視端末装置２のＲＡＭ又はＨＤＤ等に保存し、管理する。パス・ツリー表示部７３は、パス・ツリー管理部７２において保持、管理されているパス・ツリーをディスプレイ等に表示する。
【０１３５】
パス・ツリー変化点受信部７４は、ネットワークを介して接続された監視端末装置１より、パス・ツリーの変化点を受信する。パス・ツリー変化点管理部７５は、パス・ツリー変化点受信部７４が受信したパス・ツリーの変化点を、例えば対応するパス・ツリーと対応付けて、監視端末装置２のＲＡＭ又はＨＤＤ等に保存し、管理する。パス・ツリー変化点表示部７６は、パス・ツリー変化点管理部７５において保持、管理されているパス・ツリーの変化点をディスプレイ等に表示する。なお、パス・ツリー変化点表示部７６は、パス・ツリーの変化点と共に、対応するパス・ツリーを、つまり、変化点を強調したパス・ツリーを、ディスプレイ等に表示するようにしてもよい。
【０１３６】
パスルート送信部７７は、例えばパスルート作成部６６において作成したパスルートを、ネットワークを介して接続された監視端末装置１に送信する。パスルート変化点送信部７８は、例えばパスルート変化点検出部６９において検出したパスルートの変化点を、ネットワークを介して接続された監視端末装置１に送信する。
【０１３７】
以下、監視端末装置２における監視処理の他の例を図２８に示す。図２８は、監視端末装置２における監視処理のフローチャート（その２）である。
【０１３８】
ステップＳ１００において監視端末装置２は、隣接するルータと、ＴＣＰを用いた１対１のセッションを確立する。ステップＳ１００に続いてステップＳ１０１に進み、監視端末装置２は、ステップＳ１００においてセッションを確立したルータと、ＢＧＰの基本情報（例えば、ＯＰＥＮメッセージ）、及び経路情報（例えば、ＵＰＤＡＴＥメッセージ）を、交換する。
【０１３９】
ステップＳ１０１に続いてステップＳ１０２に進み、監視端末装置２は、ステップＳ１０１において交換したＢＧＰの基本情報及び経路情報を、監視端末装置２のＲＡＭ又はＨＤＤ等に保存し、管理する。なお、経路情報には、例えばＡＳパスリスト９０等も含まれる。
【０１４０】
ステップＳ１０２に続いてステップＳ１０３に進み、監視端末装置２は、ステップＳ１０１において交換したＢＧＰの基本情報及び経路情報に基づいて、ルーティング・テーブル８０を作成する。ステップＳ１０３に続いてステップＳ１０４に進み、監視端末装置２は、ステップＳ１０３において作成したルーティング・テーブル８０を、監視端末装置２のＲＡＭ又はＨＤＤ等に保存し、管理する。
【０１４１】
ステップＳ１０４に続いてステップＳ１０５に進み、監視端末装置２は、経路情報及び／又はルーティング・テーブル８０等に基づいて、パスルートを作成する。ステップＳ１０５に続いてステップＳ１０６に進み、監視端末装置２は、ステップＳ１０５において作成したパスルートを、監視端末装置２のＲＡＭ又はＨＤＤ等に保存し、管理する。
【０１４２】
ステップＳ１０６に続いてステップＳ１０７に進み、監視端末装置２は、パスルートを表示する。なお、パスルートの表示のタイミングは、ステップＳ１０７に限定されるものではなく、パスルートを作成した直後等であってもよいし、ネットワークの監視者等からの要求に応じて、表示するようにしてもよい。
【０１４３】
ステップＳ１０７に続いてステップＳ１０８に進み、監視端末装置２は、ステップＳ１０５において作成したパスルートを、ネットワークを介して接続された監視端末装置１に送信する。なお、パスルートを送信するタイミングは、ステップＳ１０８に限定されるものではなく、例えばパスルートを作成した直後等であってもよい。
【０１４４】
ステップＳ１０８に続いてステップＳ１０９に進み、監視端末装置２は、例えばルータ等より経路情報（変化分）を受信したか否かを判定する。監視端末装置２は、例えばルータ等より経路情報（変化分）を受信したと判定すると（ステップＳ１０９においてＹＥＳ）、ステップＳ１１０に進み、例えばルータ等より経路情報（変化分）を受信していないと判定すると（ステップＳ１０９においてＮＯ）、ステップＳ１０９の処理を繰り返す。
【０１４５】
ステップＳ１１０では、監視端末装置２が、受信した経路情報（変化分）に基づいて、ＲＡＭ又はＨＤＤ等に保存し、管理している経路情報を更新する。ステップＳ１１０に続いてステップＳ１１１に進み、監視端末装置２は、ステップＳ１１０において更新した経路情報等に基づいて、監視端末装置２のＲＡＭ又はＨＤＤ等に保存し、管理しているルーティング・テーブル８０を更新する。
【０１４６】
ステップＳ１１１に続いてステップＳ１１２に進み、監視端末装置２は、ステップＳ１１０において更新した経路情報及び／又はステップＳ１１１において更新したルーティング・テーブル８０等に基づいて、パスルートを再作成する。ステップＳ１１２に続いてステップＳ１１３に進み、監視端末装置２は、ステップＳ１１２において再作成したパスルートを、監視端末装置２のＲＡＭ又はＨＤＤ等に保存し、管理する。
【０１４７】
ステップＳ１１３に続いてステップＳ１１４に進み、監視端末装置２は、再作成したパスルートを表示する。なお、パスルートの表示のタイミングは、ステップＳ１１４に限定されるものではなく、パスルートを作成した直後等であってもよいし、ネットワークの監視者等からの要求に応じて、表示するようにしてもよい。
【０１４８】
ステップＳ１１３に続いてステップＳ１１４に進み、監視端末装置２は、ステップＳ１１２において再作成したパスルートを、ネットワークを介して接続された監視端末装置１に送信する。なお、再作成したパスルートを送信するタイミングは、ステップＳ１１２の後、ステップ１１３の前でもよい。
【０１４９】
ステップＳ１１４に続いてステップＳ１１５に進み、監視端末装置２は、例えばネットワークの監視者等からの要求に応じて、監視端末装置２のＲＡＭ又はＨＤＤ等において保存、管理されている異なるパスルートを比較して変化点を検出する。ステップＳ１１５に続いてステップＳ１１６に進み、監視端末装置２は、変化点を検出したか否かを判定する。監視端末装置２は、変化点を検出したと判定すると（ステップＳ１１６においてＹＥＳ）、ステップＳ１１７に進み、変化点を検出しなかったと判定すると（ステップＳ１１６においてＮＯ）、ステップＳ１０９からの処理を繰り返す。
【０１５０】
ステップＳ１１７では、監視端末装置２が、ステップＳ１１５において検出した変化点を、又は、変化点を強調したパスルートを、例えばネットワークの監視者等の要求に応じて、表示する。
【０１５１】
ステップＳ１１７に続いてステップＳ１１８に進み、監視端末装置２は、ステップＳ１１５において検出した変化点を、又は、変化点を強調したパス・ツリーを、ネットワークを介して接続された監視端末装置１に送信し、ステップＳ１０９からの処理を繰り返す。なお、検出した変化点を、又は、変化点を強調したパスルートを送信するタイミングは、ステップＳ１１６のＹＥＳの後、ステップＳ１１７の前でもよい。
【０１５２】
図２８に示すような処理を行うことによって、監視端末装置２は、例えばＡＳ間の疎通経路及び／又は疎通経路の変更点をリアルタイムに当該監視端末装置２のディスプレイに表示すると共に、例えばＡＳ間の疎通経路及び／又は疎通経路の変更点を監視端末装置１に送信することができる。
【０１５３】
以下、監視端末装置２における、例えばＡＳ内等のパス・ツリー及びパス・ツリー変化点の表示処理の一例を、図２９に示す。図２９は、監視端末装置２におけるパス・ツリー及びパス・ツリー変化点の表示処理の一例のフローチャートである。
【０１５４】
ステップＳ１２０において、監視端末装置２は、ネットワークを介して接続された監視端末装置１よりパス・ツリーを受信したか否かを判定する。監視端末装置２は、監視端末装置１よりパス・ツリーを受信したと判定すると（ステップＳ１２０においてＹＥＳ）、ステップＳ１２１に進み、監視端末装置２よりパス・ツリーを受信していないと判定すると（ステップＳ１２０においてＮＯ）、ステップＳ１２０からの処理を繰り返す。
【０１５５】
ステップＳ１２１では、監視端末装置２が、ステップＳ１２０において受信したパス・ツリーを、監視端末装置２のＲＡＭ又はＨＤＤ等に保存し、管理する。ステップＳ１２１に続いてステップＳ１２２に進み、監視端末装置２は、例えばネットワークの監視者等からの要求に応じて、パス・ツリーを表示する。なお、監視端末装置２は、ネットワークの監視者等からの要求を待たず、ステップＳ１２２のタイミングでパス・ツリーを表示するようにしてもよい。
【０１５６】
ステップＳ１２２に続いてステップＳ１２３に進み、監視端末装置２は、ネットワークを介して接続された監視端末装置１よりパス・ツリーの変化点を受信したか否かを判定する。監視端末装置２は、監視端末装置１よりパス・ツリーの変化点を受信したと判定すると（ステップＳ１２３においてＹＥＳ）、ステップＳ１２４に進み、監視端末装置２よりパス・ツリーの変化点を受信していないと判定すると（ステップＳ１２３においてＮＯ）、ステップＳ１２３の処理を繰り返す。
【０１５７】
ステップＳ１２４では、監視端末装置２が、ステップＳ１２３において受信したパス・ツリーの変化点を、対応するパス・ツリーと対応付けて、監視端末装置２のＲＡＭ又はＨＤＤ等に保存し、管理する。ステップＳ１２４に続いてステップＳ１２５に進み、監視端末装置２は、パス・ツリーの変化点を、又は、変化点を強調したパス・ツリーを、ディスプレイに表示する。
【０１５８】
図２９に示すような処理を行うことによって、監視端末装置２は、例えばＡＳ間の疎通経路及び／又は疎通経路の変更点をリアルタイムに当該監視端末装置２のディスプレイに表示すると共に、例えば監視端末装置１より受信したＡＳ内の疎通経路及び／又は疎通経路の変更点を当該監視端末装置２のディスプレイに表示することができる。
【０１５９】
上述したように、本発明によれば、疎通経路及び／又は疎通経路の変更点をリアルタイムに監視可能とすることができる。また、上述したように、本発明によれば、疎通経路の変更点をリアルタイムに監視可能とすることができるため、疎通が不可能になる前に、例えばネットワーク上の負荷等を発見することもできる。また、上述したように、本発明によれば、疎通経路及び／又は疎通経路の変更点をリアルタイムに監視可能とすることができるため、例えば必要なときに、どの通信機器をネットワーク等から切り離してもよいか否かが直ぐに判断することができる。なお、上述した実施例で示したパス・ツリー及びパスルートは、疎通経路と言い換えてもよい。
【０１６０】
以上、本発明の好ましい実施例について詳述したが、本発明は係る特定の実施形態に限定されるものではなく、特許請求の範囲に記載された本発明の要旨の範囲内において、種々の変形・変更が可能である。
【０１６１】
なお、本発明は、以下に記載する付記のような構成が考えられる。
（付記１）
ネットワークに係る情報及びインターフェースのコストを含むリンク状態公告情報を収集するリンク状態公告情報収集手段と、
前記リンク状態公告情報に基づいて、リンク状態データを作成するリンク状態データ作成手段と、
前記リンク状態データを参照し、あて先までのコスト値が最小となるパス・ツリーを作成するパス・ツリー作成手段と、
作成した前記パス・ツリーを保存するパス・ツリー保存手段と、
前記パス・ツリーを表示するパス・ツリー表示手段と、
基となる前記パス・ツリーと、再作成された前記パス・ツリーと、を比較し、変更点を検出するパス・ツリー変更点検出手段と、
を有することを特徴とするネットワーク監視端末装置。
（付記２）
前記検出した変更点を表示するパス・ツリー変更点表示手段を更に有することを特徴とする付記１記載のネットワーク監視端末装置。
（付記３）
自律システム間の経路情報を交換する経路情報交換手段と、
前記経路情報に基づいて、あて先までの経路を決定する経路決定手段と、
決定した前記経路を保存する経路保存手段と、
前記経路を表示する経路表示手段と、
基となる前記経路と、再決定された前記経路と、を比較し、変更点を検出する経路変更点検出手段と、
を有することを特徴とするネットワーク監視端末装置。
（付記４）
前記検出した変更点を表示する経路変更点表示手段を更に有することを特徴とする付記３記載のネットワーク監視端末装置。
（付記５）
第一のネットワーク監視端末装置と、第二のネットワーク監視端末装置と、を含むネットワーク監視システムであって、
前記第一のネットワーク監視端末装置は、
ネットワークに係る情報及びインターフェースのコストを含むリンク状態公告情報を収集するリンク状態公告情報収集手段と、
前記リンク状態公告情報に基づいて、リンク状態データを作成するリンク状態データ作成手段と、
前記リンク状態データを参照し、あて先までのコスト値が最小となるパス・ツリーを作成するパス・ツリー作成手段と、
作成した前記パス・ツリーを保存するパス・ツリー保存手段と、
前記パス・ツリーを表示するパス・ツリー表示手段と、
基となる前記パス・ツリーと、再作成された前記パス・ツリーと、を比較し、変更点を検出するパス・ツリー変更点検出手段と、
を有し、
前記第二のネットワーク監視端末装置は、
自律システム間の経路情報を交換する経路情報交換手段と、
前記経路情報に基づいて、あて先までの経路を決定する経路決定手段と、
決定した前記経路を保存する経路保存手段と、
前記経路を表示する経路表示手段と、
基となる前記経路と、再決定された前記経路と、を比較し、変更点を検出する経路変更点検出手段と、
を有することを特徴とするネットワーク監視システム。
（付記６）
ネットワークを監視するネットワーク監視端末装置におけるネットワーク監視方法であって、
ネットワークに係る情報及びインターフェースのコストを含むリンク状態公告情報を収集するリンク状態公告情報収集段階と、
前記リンク状態公告情報に基づいて、リンク状態データを作成するリンク状態データ作成段階と、
前記リンク状態データを参照し、あて先までのコスト値が最小となるパス・ツリーを作成するパス・ツリー作成段階と、
作成した前記パス・ツリーを保存手段に保存するパス・ツリー保存段階と、
前記パス・ツリーを表示するパス・ツリー表示段階と、
基となる前記パス・ツリーと、再作成された前記パス・ツリーと、を比較し、変更点を検出するパス・ツリー変更点検出段階と、
を有することを特徴とするネットワーク監視方法。
（付記７）
ネットワークを監視するネットワーク監視端末装置におけるネットワーク監視方法であって、
自律システム間の経路情報を交換する経路情報交換段階と、
前記経路情報に基づいて、あて先までの経路を決定する経路決定段階と、
決定した前記経路を保存手段に保存する経路保存段階と、
前記経路を表示する経路表示段階と、
基となる前記経路と、再決定された前記経路と、を比較し、変更点を検出する経路変更点検出段階と、
を有することを特徴とするネットワーク監視方法。
（付記８）
コンピュータに、
ネットワークに係る情報及びインターフェースのコストを含むリンク状態公告情報を収集するリンク状態公告情報収集手順と、
前記リンク状態公告情報に基づいて、リンク状態データを作成するリンク状態データ作成手順と、
前記リンク状態データを参照し、あて先までのコスト値が最小となるパス・ツリーを作成するパス・ツリー作成手順と、
作成した前記パス・ツリーを保存手段に保存するパス・ツリー保存手順と、
前記パス・ツリーを表示するパス・ツリー表示手順と、
基となる前記パス・ツリーと、再作成された前記パス・ツリーと、を比較し、変更点を検出するパス・ツリー変更点検出手順と、
を実行させるためのネットワーク監視プログラム。
（付記９）
コンピュータに、
自律システム間の経路情報を交換する経路情報交換手順と、
前記経路情報に基づいて、あて先までの経路を決定する経路決定手順と、
決定した前記経路を保存手段に保存する経路保存手順と、
前記経路を表示する経路表示手順と、
基となる前記経路と、再決定された前記経路と、を比較し、変更点を検出する経路変更点検出手順と、
を実行させるためのネットワーク監視プログラム。
（付記１０）
コンピュータに、
ネットワークに係る情報及びインターフェースのコストを含むリンク状態公告情報を収集するリンク状態公告情報収集手順と、
前記リンク状態公告情報に基づいて、リンク状態データを作成するリンク状態データ作成手順と、
前記リンク状態データを参照し、あて先までのコスト値が最小となるパス・ツリーを作成するパス・ツリー作成手順と、
作成した前記パス・ツリーを保存手段に保存するパス・ツリー保存手順と、
前記パス・ツリーを表示するパス・ツリー表示手順と、
基となる前記パス・ツリーと、再作成された前記パス・ツリーと、を比較し、変更点を検出するパス・ツリー変更点検出手順と、
を実行させるためのネットワーク監視プログラムを記録したコンピュータ読み取り可能な記録媒体。
（付記１１）
コンピュータに、
自律システム間の経路情報を交換する経路情報交換手順と、
前記経路情報に基づいて、あて先までの経路を決定する経路決定手順と、
決定した前記経路を保存手段に保存する経路保存手順と、
前記経路を表示する経路表示手順と、
基となる前記経路と、再決定された前記経路と、を比較し、変更点を検出する経路変更点検出手順と、
を実行させるためのネットワーク監視プログラムを記録したコンピュータ読み取り可能な記録媒体。
【図面の簡単な説明】
【０１６２】
【図１】従来のネットワーク監視構成を説明するための図である。
【図２】従来の監視端末装置において収集した経路情報に基づいて作成された疎通経路の一例を示す図である。
【図３】本発明に係るネットワークの監視構成を説明するための図（その１）である。
【図４】監視端末装置１の一例のハードウェア構成図である。
【図５】監視端末装置１の機能構成図（その１）である。
【図６】ＬＳＤＢ４０の一例を示す図である。
【図７】パス・ツリーの一例を示す図である。
【図８】図３に示したようなネットワーク構成において、障害が発生した一例を示す図である。
【図９】更新されたＬＳＤＢ４０の一例を示す図である。
【図１０】再作成されたパス・ツリーの一例を示す図である。
【図１１】変化点が表示されたパス・ツリーの一例を示す図である。
【図１２】監視端末装置１における監視処理のフローチャート（その１）である。
【図１３】本発明に係るネットワークの監視構成を説明するための図（その２）である。
【図１４】監視端末装置２の機能構成図（その１）である。
【図１５】ルーティング・テーブル８０の一例を示す図である。
【図１６】ＡＳパスリスト９０の一例を示す図である。
【図１７】パスルートの一例を示す図である。
【図１８】図１３に示したようなネットワーク構成において、障害が発生した一例を示す図である。
【図１９】更新されたルーティング・テーブル８０の一例を示す図である。
【図２０】更新されたＡＳパスリストの一例を示す図である。
【図２１】再作成されたパスルートの一例を示す図である。
【図２２】変化点が表示されたパスルートの一例を示す図である。
【図２３】監視端末装置２における監視処理のフローチャート（その１）である。
【図２４】監視端末の機能構成図（その２）である。
【図２５】監視端末装置１における監視処理のフローチャート（その２）である。
【図２６】監視端末装置１におけるパスルート及びパスルート変化点の表示処理の一例のフローチャートである。
【図２７】監視端末装置２の機能構成図（その２）である。
【図２８】監視端末装置２における監視処理のフローチャート（その２）である。
【図２９】監視端末装置２におけるパス・ツリー及びパス・ツリー変化点の表示処理の一例のフローチャートである。
【符号の説明】
【０１６３】
１      監視端末装置
２      監視端末装置
１１    入力装置
１２    表示装置
１３    ドライブ装置
１４    記録媒体
１５    ＲＯＭ
１６    ＲＡＭ
１７    ＣＰＵ
１８    インターフェース装置
１９    ＨＤＤ
２１    ＬＳＡ収集部
２２    ＬＳＤＢ作成部
２３    ＬＳＤＢ管理部
２４    パス・ツリー作成部
２５    パス・ツリー管理部
２６    ルーティング・テーブル作成部
２７    ルーティング・テーブル管理部
２８    パス・ツリー変化点検出部
２９    パス・ツリー変化点検出部
３０    パス・ツリー変化点表示部
３１    パスルート受信部
３２    パスルート管理部
３３    パスルート表示部
３４    パスルート変化点受信部
３５    パスルート変化点管理部
３６    パスルート変化点表示部
３７    パス・ツリー送信部
３８    パス・ツリー変化点送信部
４０    ＬＳＤＢ
６１    ＴＣＰセッション管理部
６２    経路情報交換部
６３    経路情報管理部
６４    ルーティング・テーブル作成部
６５    ルーティング・テーブル管理部
６６    パスルート作成部
６７    パスルート管理部
６８    パスルート表示部
６９    パスルート変化点検出部
７０    パスルート変化点表示部
７１    パス・ツリー受信部
７２    パス・ツリー管理部
７３    パス・ツリー表示部
７４    パス・ツリー変化点受信部
７５    パス・ツリー変化点管理部
７６    パス・ツリー変化点表示部
７７    パスルート送信部
７８    パスルート変化点送信部
８０    ルーティング・テーブル
９０    ＡＳパスリスト
【図１】
2006140834.tif 000003
【図２】
2006140834.tif 000004
【図３】
2006140834.tif 000005
【図４】
2006140834.tif 000006
【図５】
2006140834.tif 000007
【図６】
2006140834.tif 000008
【図７】
2006140834.tif 000009
【図８】
2006140834.tif 000010
【図９】
2006140834.tif 000011
【図１０】
2006140834.tif 000012
【図１１】
2006140834.tif 000013
【図１２】
2006140834.tif 000014
【図１３】
2006140834.tif 000015
【図１４】
2006140834.tif 000016
【図１５】
2006140834.tif 000017
【図１６】
2006140834.tif 000018
【図１７】
2006140834.tif 000019
【図１８】
2006140834.tif 000020
【図１９】
2006140834.tif 000021
【図２０】
2006140834.tif 000022
【図２１】
2006140834.tif 000023
【図２２】
2006140834.tif 000024
【図２３】
2006140834.tif 000025
【図２４】
2006140834.tif 000026
【図２５】
2006140834.tif 000027
【図２６】
2006140834.tif 000028
【図２７】
2006140834.tif 000029
【図２８】
2006140834.tif 000030
【図２９】
2006140834.tif 000031